(57)【特許請求の範囲】
【請求項１】
シャフトと、
上記シャフトを回転軸とし、当該シャフトに対して軸方向に直交する軸直交方向に着脱可能な舌片を有し、当該舌片で媒体を叩いて集積エリアに送る羽根車と
を備え、
上記シャフトを覆う壁部に、上記羽根車の舌片を上記軸直交方向に取り出す又は挿入するための開口部が設けられ、
上記羽根車は、上記開口部から上記舌片が突出するように上記シャフトに取り付けられる
媒体集積装置。
【請求項２】
上記羽根車は、
上記シャフトに固定される羽根車ボスと、当該羽根車ボスに取り付けられる上記舌片とで構成される
請求項１に記載の媒体集積装置。
【請求項３】
上記壁部の開口部は、上記羽根車を上記軸直交方向から見た場合の輪郭に沿った形状及び大きさでなる
請求項２に記載の媒体集積装置。
【請求項４】
上記壁部は、
上記媒体を上記集積エリアに送るときのガイドである
請求項１に記載の媒体集積装置。
【請求項５】
上記羽根車ボスは、
中心にシャフトと同径のシャフト孔を有すると共に、側面に当該シャフト孔と繋がる、上記シャフトの径よりも小さな開口部が設けられた略円筒形状となっていて、当該開口部を介して上記シャフトに対して軸直交方向に着脱可能であり、
上記舌片を、上記羽根車ボスごと着脱する
請求項３に記載の媒体集積装置。
【請求項６】
上記羽根車ボスは、
側面に設けられた上記開口部を上記シャフトの径より広げることができ、且つ広げた状態から元に戻るだけの弾性を有している
請求項５に記載の媒体集積装置。
【請求項７】
上記羽根車ボスは、
上記シャフトに対して軸直交方向に押し込まれ又は引っ張られることにより側面に設けられた上記開口部が上記シャフトの径より広がって着脱される
請求項６に記載の媒体集積装置。
【請求項８】
上記羽根車ボスは、
側面の上記開口部と反対側の外側面に、つまむことで当該開口部を広げることのできるつまみ部が設けられ、
上記つまみ部がつままれることにより側面に設けられた上記開口部が上記シャフトの径より広がって着脱される
請求項６に記載の媒体集積装置。
【請求項９】
上記羽根車ボスは、
上記シャフト孔内に突起が設けられ、
上記シャフト孔に上記シャフトが嵌合されたときに、上記突起が上記シャフトに形成されている穴に嵌め込まれる
請求項５に記載の媒体集積装置。
【請求項１０】
上記シャフト孔内には複数の突起が設けられ、
上記シャフトにも、上記突起の数と位置に合わせて複数の穴が形成されている
請求項９に記載の媒体集積装置。
【請求項１１】
上記舌片は、
上記羽根車ボスの側面に、留め具によって着脱自在に固定される
請求項３に記載の媒体集積装置。
【請求項１２】
上記羽根車ボスの側面には、
上記舌片の一端部を挟み込んで着脱自在に固定するための爪部が設けられており、
上記舌片は、
上記羽根車ボスの側面に、上記爪部によって着脱自在に固定される
請求項３に記載の媒体集積装置。
【請求項１３】
上記羽根車ボスは、
２つのボス半体のそれぞれの一端を連結部によって開閉自在に連結した構成でなり、当該２つのボス半体が開閉させられることにより着脱され、
さらに上記羽根車ボスには、当該２つのボス半体が閉じたときに、閉じた状態を保持するロック機構が設けられている
請求項３に記載の媒体集積装置。
【請求項１４】
シャフトと、上記シャフトを回転軸とし、上記シャフトに対して軸方向に直交する軸直交方向に着脱可能な舌片を有し、当該舌片で媒体を叩いて集積エリアに送る羽根車とを備え、上記シャフト及び上記羽根車を覆う壁部に上記羽根車の舌片を上記軸直交方向に取り出す又は挿入するための開口部が設けられ、上記羽根車が上記開口部から上記舌片が突出するように上記シャフトに取り付けられるようにした媒体集積装置
を備える媒体処理装置。
【発明の詳細な説明】
【技術分野】
【０００１】
本発明は、媒体集積装置及び媒体処理装置に関し、例えば、媒体として紙幣を扱う現金自動取引装置に関するものである。
【背景技術】
【０００２】
従来、紙幣の入出金を顧客の操作に応じて行う現金自動取引装置として、例えば、入金された紙幣を出金にリサイクルする還流型の現金自動取引装置が知られている。
【０００３】
この現金自動取引装置は、例えば、入出金口、鑑別部及び収納庫と、これらを繋ぐ紙幣搬送路とを備えている。
【０００４】
実際、入金時に入出金口から投入された紙幣は、鑑別部で真偽が鑑別された後、収納庫に収納される。また、出金時に収納庫から繰り出された紙幣は、鑑別部で真偽が鑑別された後、入出金口に搬送される。
【０００５】
収納庫は、例えば、ローラ、ビルストッパ、羽根車、集積エリアを備え、ローラによって収納庫内に水平方向に放出された紙幣の先端がビルストッパに衝突して停止した後、その後端を、羽根車の舌片（羽根車の羽根となる部分）で叩き落とすことで、紙幣を集積エリアに集積するようになっている。
【０００６】
ところで、このような収納庫の場合、紙幣を叩き続けることで羽根車の舌片が磨耗し、磨耗が進行すれば舌片の交換が必要となってくる。
【０００７】
そこで従来、例えば、シャフトに固定される羽根車のボス（以下、羽根車ボスとも呼ぶ）の一端面に、舌片を装着するための溝を設け、この溝に、シャフトの軸方向（スラスト方向とも呼ぶ）から舌片を装着し、さらに舌片の装着を保持するための保持部材を、一端面に押し込んで取り付けるようにした羽根車が提案されている（例えば特許文献１参照）。
【０００８】
この羽根車の場合、保持部材をスラスト方向に取り外して、舌片を溝から取り外した後、新しい舌片を溝に装着するようにして、舌片のみを交換できるようになっている。
【０００９】
また、例えば、スラスト方向に直交する方向（これをスラスト直交方向とも呼ぶ）に開口部を有する断面Ｃ形状の羽根車ボスを、その両側から、シャフトに対してスラスト方向にスライド可能な２つのリングで挟み込んでシャフトに固定するようにした羽根車も提案されている（例えば特許文献２参照）。
【００１０】
この羽根車の場合、２つのリングを互いに遠ざけるようにスラスト方向に移動させて羽根車ボスの固定を解除した後、この羽根車ボスを、シャフトに対してスラスト直交方向に取り外した後、新しい舌片を有する羽根車ボスを、シャフトに嵌合するようにして、舌片を羽根車ボスごと交換できるようになっている。
【先行技術文献】
【特許文献】
【００１１】
【特許文献１】特開平８−２２５２１１号公報
【特許文献２】特開平３−２２７８７３号公報
【発明の概要】
【発明が解決しようとする課題】
【００１２】
ところで、上述した交換方法では、舌片を交換するために、シャフトのスラスト方向に保持部材やリングを移動させなければならず、羽根車の両側もしくは片側に、十分な作業スペースを必要としていた。
【００１３】
さらに、通常、シャフトは、紙幣をガイドする壁部により一部を除いて覆われており、このため、シャフトから羽根車を着脱する場合には、この壁部を収納庫から取り外す必要があった。
【００１４】
このように、従来の収納庫の場合、わざわざ収納庫を分解して舌片を交換しなければならず、舌片の交換作業が容易ではなかった。
【００１５】
本発明は以上の点を考慮したもので、従来と比して一段と舌片の交換が容易な媒体集積装置及びこの媒体集積装置を備えた媒体処理装置を提案しようとするものである。
【課題を解決するための手段】
【００１６】
かかる課題を解決するため本発明の媒体集積装置においては、シャフトと、シャフトを回転軸とし、当該シャフトに対して軸方向に直交する軸直交方向に着脱可能な舌片を有し、当該舌片で媒体を叩いて集積エリアに送る羽根車とを設け、シャフトを覆う壁部に、羽根車の舌片を軸直交方向に取り出す又は挿入するための開口部が設けられ、羽根車が、開口部から舌片が突出するようにシャフトに取り付けられるようにした。
【００１７】
このように、舌片をシャフトに対して軸方向に直交する軸直交方向（スラスト直交方向）に着脱可能とすると共に、シャフトを覆う壁部に、舌片を軸直交方向に取り出す又は挿入するための開口部を設けるようにしたことで、従来、舌片交換時に羽根車の両側もしくは片側に必要であった作業スペースを必要とせず、またわざわざ装置全体を分解することなく、シャフトから舌片を取り外して交換することができる。
【発明の効果】
【００１８】
本発明によれば、従来、舌片交換時に羽根車の両側もしくは片側に必要であった作業スペースを必要とせず、またわざわざ装置全体を分解することなく、シャフトから舌片を取り外して交換することができ、かくして、従来と比して一段と舌片の交換が容易な媒体集積装置及びこの媒体集積装置を有する媒体処理装置を実現できる。
【図面の簡単な説明】
【００１９】
【図１】第１の実施の形態における還流型の現金自動取引装置の構成を示す略線図である。
【図２】第１の実施の形態における羽根車周辺部の構成（１）を示す略線図である。
【図３】第１の実施の形態における羽根車周辺部の構成（２）を示す略線図である。
【図４】第１の実施の形態における羽根車の構成を示す略線図である。
【図５】第１の実施の形態における側面ガイドの開口部の形状及び大きさを示す略線図である。
【図６】第１の実施の形態における羽根車の取り付けの説明にともなう略線図である。
【図７】第２の実施の形態における羽根車の構成を示す略線図である。
【図８】つまみ部をつまんだときの羽根車の変形の説明にともなう略線図である。
【図９】第２の実施の形態における羽根車の取り付けの説明にともなう略線図である。
【図１０】第３の実施の形態における羽根車の構成を示す略線図である。
【図１１】第３の実施の形態における舌片の構成を示す略線図である。
【図１２】第３の実施の形態における舌片の取り付けの説明にともなう略線図である。
【図１３】第３の実施の形態における羽根車周辺部の構成（１）を示す略線図である。
【図１４】第３の実施の形態における羽根車周辺部の構成（２）を示す略線図である。
【図１５】第４の実施の形態における羽根車の構成を示す略線図である。
【図１６】第４の実施の形態における羽根車の取り付けの説明にともなう略線図である。
【図１７】第４の実施の形態における羽根車周辺部の構成（１）を示す略線図である。
【図１８】第４の実施の形態における羽根車周辺部の構成（２）を示す略線図である。
【図１９】第５の実施の形態における羽根車の構成を示す略線図である。
【図２０】第５の実施の形態における羽根車周辺部の構成（１）を示す略線図である。
【図２１】第５の実施の形態における羽根車周辺部の構成（２）を示す略線図である。
【図２２】第５の実施の形態における羽根車の取り付けの説明にともなう略線図である。
【図２３】他の実施の形態における羽根車の構成（１）を示す略線図である。
【図２４】他の実施の形態における羽根車の構成（２）を示す略線図である。
【図２５】他の実施の形態における舌片の構成を示す略線図である。
【図２６】他の実施の形態における羽根車の構成（３）を示す略線図である。
【図２７】他の実施の形態におけるピンの構成を示す略線図である。
【図２８】他の実施の形態における羽根車の構成（４）を示す略線図である。
【図２９】他の実施の形態における側面ガイドの開口部の形状及び大きさを示す略線図である。
【発明を実施するための形態】
【００２０】
以下、発明を実施するための形態について、図面を用いて詳細に説明する。
【００２１】
［１．第１の実施の形態］
［１−１．現金自動取引装置の構成］
まず第１の実施の形態について説明する。図１に、この第１の実施の形態における還流型の現金自動取引装置１０の構成例を示す。
【００２２】
現金自動取引装置１０は、入出金口１１と、鑑別部１２と、一時保留部１３と、収納庫１４と、補回庫１５と、補回庫入出金部１６と、リジェクト庫１７と、取忘れ保管庫１８と、これらをつなぐ紙幣搬送路１９とで構成されている。
【００２３】
入出金口１１は、顧客が入金取引にてセットした紙幣を取り込むための取引口と、出金取引にて顧客へ紙幣を受け渡すための受渡口とを兼ね、鑑別部１２は、紙幣の金種、正損、真偽、表裏、重走などを判別し、一時保留部１３は、入出金口１１に投入され鑑別部１２によって正常判別された紙幣を、入金取引確定まで一時的に保管して確定後に繰り出すようになっている。
【００２４】
収納庫１４は、金種ごとに紙幣を収納し、金種ごとに紙幣を繰り出すようになっている。補回庫１５は、収納庫１４から回収される紙幣や収納庫へ補充される紙幣を収納し、必要に応じて現金自動取引装置１０から取り外せるようになっている。補回庫入出金部１６は、紙幣補充時には補回庫１５に収納されている紙幣を１枚ずつ分離して紙幣搬送路１９へ繰り出し、紙幣回収時には補回庫１５へ紙幣を収納させるようになっている。
【００２５】
リジェクト庫１７は、鑑別部１２によって異常判別された紙幣を収納し、取忘れ保管庫１８は、出金取引時に入出金口１１に搬送された紙幣が一定時間放置されたときに、その紙幣を放置紙幣として取り込んで収納するようになっている。
【００２６】
［１−２．羽根車周辺部の構成］
次に、現金自動取引装置１０の収納庫１４内の羽根車周辺部の構成について、図２及び図３を用いて説明する。
【００２７】
図２（Ｂ）及び図３に示すように、収納庫１４内の羽根車周辺部には、主として、側面ガイド２０、羽根車２１、集積エリア２２が設けられている。
【００２８】
側面ガイド２０は、収納庫１４の例えば前面に沿うように上下方向に延在し、その上部に、断面略Ｓ字形状のなだらかな段差２０ａが形成されている。
【００２９】
この側面ガイド２０の段差２０ａより下方、且つ側面ガイド２０より後方（図２中、右方向）が集積エリア２２となる。
【００３０】
さらにこの側面ガイド２０の段差２０ａの近傍には、側面ガイド２０より前方（図２中、左方向）に、側面ガイド２０に覆われるようにして、左右方向（図２中、奥行き方向）に延在するシャフト２３が設けられ、このシャフト２３に羽根車２１が固定されている。
【００３１】
側面ガイド２０の段差２０ａには、羽根車２１の回転を妨げないように、羽根車２１の回転半径内となる部分に開口部３０が形成されている。
【００３２】
羽根車２１は、シャフト２３に固定されたときに、舌片２１ａがこの開口部３０から突出するようになっている。
【００３３】
ここで実際、収納庫１４に搬送されてきた紙幣は、図示しないローラによって、収納庫１４内に放出された後、羽根車２１に対向する位置に設けられている図示しないビルストッパにその先端が衝突することで停止する。
【００３４】
その後、紙幣は、羽根車２１の舌片２１ａによって、その後端が下方に叩きつけられることで集積エリア２２に落とされる。さらに集積エリア２２に落とされた紙幣は、その後端が羽根車２１の舌片２１ａによって側面ガイド２０に当接するまで引き寄せられる。
【００３５】
このようにして、収納庫１４に紙幣が収納されていくようになっている。
【００３６】
さらに、この収納庫１４では、羽根車２１をシャフト２３からスラスト方向に直交する方向（スラスト直交方向）に引っ張って取り外したり、押し込んで取り付けたりして交換できるようにもなっている。
【００３７】
このとき、収納庫１４は、側面ガイド２０の開口部３０が、羽根車２１をシャフト２３からスラスト直交方向に取り外したり取り付けたりするときの取出口及び挿入口として機能するようになっている。
【００３８】
ゆえに、この開口部３０は、図２（Ａ）に示すように、切り口の形状が、羽根車２１をスラスト直交方向から見た輪郭に沿った形状及び大きさとなっている。
【００３９】
一方、羽根車２１は、図４に示すように、舌片２１ａと、シャフト２３に固定される部分となる羽根車ボス２１ｂとで構成されている。
【００４０】
羽根車ボス２１ｂは、プラスチックなどの樹脂材料で成形され、シャフト２３の径とほぼ同径のシャフト孔４０が設けられた略円筒状の形状でなり、側面に、シャフト孔４０と繋がる開口部４１が形成されている。尚、ここでは貫通している穴を、特に孔と呼ぶことにする。
【００４１】
この開口部４１は、外側にいくほど広くなる末広がり形状でなり、内側の最も狭い部分の距離Ｌが、シャフト２３の径より若干狭くなっている。尚、羽根車ボス２１ｂには、この最も狭い部分の距離Ｌを、シャフト２３の径より大きくなるまで広げることができ、且つその状態から自然と元に戻る程度の弾性を持たせてある。
【００４２】
またこの羽根車ボス２１ｂは、シャフト孔４０内の開口部４１と対向する位置に、シャフト２３に対するズレ防止用の突起４２が設けられている。
【００４３】
さらにこの羽根車ボス２１ｂは、舌片２１ａの幅よりも厚く、さらに略Ｃ字形状でなる厚さ方向の一端面に溝部４３が設けられている。
【００４４】
この溝部４３は、略Ｃ字形状の溝と、この溝から放射状に延びる複数（例えば４個）の溝とでなり、その深さが舌片２１ａの幅と同じに形成されている。
【００４５】
これに対して舌片２１ａは、ゴムなどの弾性材料で成形され、略Ｃ字形状の基部と、この基部から放射状に延びる複数（例えば４枚）の羽根とで構成される。そしてこの舌片２１ａは、基部と各羽根の根元部分が、羽根車ボス２１ｂの溝部４３に嵌め込まれることで、羽根車ボス２１ｂに固定されるようになっている。
【００４６】
このような構成の羽根車２１を、スラスト直交方向から見ると、その輪郭は、図２にくわえて図５にも示すように、スラスト方向に突するＴ字形状となる。
【００４７】
ゆえに、側面ガイド２０の開口部３０も、この輪郭に沿った形状及び大きさに形成されている。
【００４８】
すなわち、側面ガイド２０の開口部３０は、上下方向に長い四角形状の開口３０ａと、この開口３０ａの中央部分からスラスト方向に突する四角形状の開口３０ｂとでなり、全体としてスラスト方向に突するＴ字形状をなしている。
【００４９】
さらに、この開口部３０は、開口３０ａの幅と開口３０ｂの幅を足した幅ａが、羽根車ボス２１ｂの幅よりもわずかに大きく、開口３０ｂの上下方向の長さｂが、羽根車ボス２１ｂの径よりもわずかに大きく、開口３０ａの幅ｃが、舌片２１ａの幅よりもわずかに大きく形成されている。
【００５０】
これにより、開口部３０は、全体として、羽根車２１をスラスト直交方向から見た輪郭と同形状で、この輪郭よりわずかに大きく形成されている。
【００５１】
［１−２．第１の実施の形態における動作及び効果］
以上の構成において、収納庫１４では、羽根車２１をシャフト２３に取り付ける場合、羽根車２１を側面ガイド２０の開口部３０から挿入し、図６（Ａ）に示すように、シャフト２３に対してスラスト直交方向から押し当てる。
【００５２】
このとき、羽根車ボス２１ｂの開口部４１がシャフト２３に対向するようにして羽根車２１を押し当てる。
【００５３】
さらにこの状態から羽根車２１を押し込んでいくと、図６（Ｂ）に示すように、羽根車ボス２１ｂの開口部４１が広がっていき、開口部４１の最も狭い部分の距離Ｌがシャフト２３の径より大きくなると、図６（Ｃ）に示すように、シャフト２３がシャフト孔４０に嵌合されて、開口部４１が元の大きさに戻る。
【００５４】
ここで、シャフト２３には、側面ガイド２０の開口部３０と対向する位置に、スラスト方向に直交する孔２３ａが形成されている。
【００５５】
この孔２３ａは、羽根車ボス２１ｂのシャフト孔４０内に設けられている突起４２とほぼ同径でなり、シャフト２３が羽根車ボス２１ｂのシャフト孔４０に嵌合されたときに、突起４２が嵌め込まれるようになっている。
【００５６】
これにより、羽根車２１は、シャフト２３に対してスラスト方向及び回転方向にズレないよう固定される。
【００５７】
このようにして、収納庫１４では、羽根車２１をシャフト２３に取り付けることができるようになっている。
【００５８】
一方、羽根車２１をシャフト２３から取り外す場合には、例えば側面ガイド２０の開口部３０から突出している羽根車２１の舌片２１ａをスラスト直交方向に引っ張る。
【００５９】
もしくは、側面ガイド２０の開口部３０から、先端が薄いピンセットなどの工具を挿入し、この工具で羽根車ボス２１ｂを挟み込んでスラスト直交方向に引っ張る。
【００６０】
すると、羽根車ボス２１ｂの開口部４１が広がっていき、開口部４１の最も狭い部分の距離Ｌがシャフト２３の径より大きくなると、シャフト２３がシャフト孔４０から外れる。そしてこの羽根車２１を側面ガイド２０の開口部３０から取り出す。
【００６１】
収納庫１４では、このようにして羽根車２１を取り外すことができるようになっている。
【００６２】
そして、例えば、磨耗した舌片２１ａを羽根車ボス２１ｂから取り外して、新しい舌片２１ａを取り付けた後、この新しい羽根車２１を、上述のようにしてシャフト２３に取り付けることで、羽根車２１の舌片２１ａを交換する。
【００６３】
ここまで説明したように、収納庫１４では、羽根車ボス２１ｂの側面に、シャフト孔４０と繋がる開口部４１を設け、さらにこの開口部４１がシャフト２３の径より大きくなるまで広げることができ、且つその状態から自然と元に戻るよう羽根車ボス２１ｂに弾性を持たせるようにした。
【００６４】
こうすることで、収納庫１４では、羽根車２１をシャフト２３に対してスラスト直交方向に引っ張ったり押し込んだりして着脱することができる。
【００６５】
さらに収納庫１４では、シャフト２３を覆う側面ガイド２０に、羽根車２１をシャフト２３に対してスラスト直交方向に着脱するときの取出口及び挿入口として機能する開口部３０を設けるようにした。
【００６６】
こうすることで、例えば、わざわざ収納庫１４から側面ガイド２０を取り外すなどして収納庫１４全体を分解することなく、羽根車２１をスラスト直交方向に着脱するだけの作業で舌片２１ａを容易に交換できる。
【００６７】
またそもそも側面ガイド２０の開口部３０は、羽根車２１の舌片２１ａの回転を妨げないよう設けられているものであり、収納庫１４では、この開口部３０を、羽根車２１を着脱するときの取出口及び挿入口として兼用するようにした。こうすることで、取出口及び挿入口を別途設ける必要がなく、製造コストを低減することもできる。
【００６８】
さらに収納庫１４では、羽根車２１をスラスト直交方向に着脱できるようにしたことで、従来の収納庫のような、舌片交換時に羽根車の両側もしくは片側に必要であった作業スペースを必要とせず、羽根車２１の取出口及び挿入口となる側面ガイド２０の開口部３０の大きさを、羽根車２１をスラスト直交方向から見た輪郭とほぼ同じ必要最小限の大きさにとどめることができる。
【００６９】
こうすることで、側面ガイド２０の開口部３０に、紙幣が引っ掛かったり、入り込んでしまうことを極力防ぐこともできる。
【００７０】
［２．第２の実施の形態］
次に、第２の実施の形態について説明する。この第２の実施の形態は、羽根車の形状が第１の実施の形態とは異なる実施の形態である。
【００７１】
尚、羽根車以外の部分である、現金自動取引装置１０の構成などについては、第１の実施の形態と同様であるので、第１の実施の形態を参照とする。ゆえに、ここでは、主に羽根車について説明する。
【００７２】
［２−１．羽根車の構成］
図７に、第２の実施の形態の羽根車１００を示す。尚、この図７は、図４との同一部分には同一符号を付してある。
【００７３】
この羽根車１００は、舌片２１ａと、羽根車ボス１００ｂとで構成され、この羽根車ボス１００ｂが、第１の実施の形態の羽根車ボス２１ｂとは異なる形状を有している。
【００７４】
具体的に、この羽根車ボス１００ｂの外側面には、開口部４１と反対の位置につまみ部１０１が形成されている。
【００７５】
このつまみ部１０１は、外側面の周方向に並ぶ３つの凹部１０１ａと、これら３つの凹部１０１ａの間に形成される２つの凸部１０１ｂとで構成される。
【００７６】
ここで、図８に示すように、両側の２つの凹部１０１ａにラジオペンチなどの工具１０２の先端を差し込んでつまみ部１０１をつまむと、２つの凸部１０１ｂが互いに近づくようつまみ部１０１が変形することにともなって、羽根車ボス１００ｂ全体が開口部４１を広げるよう変形するようになっている。
【００７７】
尚、この羽根車ボス１００ｂにも、開口部４１の最も狭い部分の距離Ｌを、シャフト２３の径より大きくなるまで広げることができ、且つその状態から元に戻る程度の弾性を持たせてある。
【００７８】
［２−２．第２の実施の形態における動作及び効果］
以上の構成において、羽根車１００をシャフト２３に取り付ける場合、羽根車１００を、側面ガイド２０の開口部３０から挿入し、さらに図９（Ａ）に示すように、羽根車ボス１００ｂのつまみ部１０１を工具１０２でつまんで開口部４１を広げた状態で、シャフト２３に対してスラスト直交方向から押し込む。
【００７９】
すると、図９（Ｂ）に示すように、羽根車ボス１００ｂのシャフト孔４０にシャフト２３が嵌合され、さらにつまみ部１０１から工具１０２を離すことで、開口部４１が元の大きさに戻る。
【００８０】
またこのとき、シャフト２３の孔２３ａに、羽根車ボス１００ｂのシャフト孔４０内に設けられている突起４２が嵌め込まれることで、羽根車１００が、シャフト２３に対してスラスト方向及び回転方向にズレないよう固定される。
【００８１】
このようにして、羽根車１００をシャフト２３に取り付けることができるようになっている。
【００８２】
一方、羽根車１００をシャフト２３から取り外す場合には、例えば側面ガイド２０の開口部３０から工具１０２を挿入する。
【００８３】
そして、羽根車ボス１００ｂのつまみ部１０１を工具１０２でつまんで開口部４１を広げた状態で、シャフト２３に対して羽根車１００をスラスト直交方向に引き出し、側面ガイド２０の開口部３０から取り出す。
【００８４】
このようにして、羽根車１００をシャフト２３から取り外すことができるようになっている。
【００８５】
そして、例えば、磨耗した舌片２１ａを羽根車ボス１００ｂから取り外して、新しい舌片２１ａを取り付けた後、この新しい羽根車１００ｂを、上述のようにしてシャフト２３に取り付けることで、羽根車１００の舌片２１ａを交換する。
【００８６】
ここまで説明したように、羽根車ボス１００ｂの外側面の、開口部４１と反対の位置につまみ部１０１を設け、さらにこのつまみ部１０１をつまむことで、開口部４１がシャフト２３の径より大きくなるまで広げることができ、且つその状態から自然に元に戻るよう羽根車ボス１０１に弾性を持たせるようにした。
【００８７】
こうすることで、つまみ部１０１をつまんだ状態で羽根車１００をシャフト２３に対してスラスト直交方向に引き出したり押し込んだりして着脱できる。
【００８８】
また、羽根車ボス１００ｂの外側面に設けられたつまみ部１０１を工具１０２などでつまんで開口部４１を広げるようにしたことにより、第１の実施の形態の羽根車ボス２１ｂのようにシャフト２３に開口部４１を押し当てて広げるような場合と比較して、羽根車ボス１００ｂの開口部４１を容易に広げることができる。
【００８９】
これにより、例えば、羽根車ボス１００ｂの開口部４１の大きさを、第１の実施の形態の羽根車ボス２１ｂよりも小さくしてもよく、この場合でも比較的容易に開口部４１をシャフト２３の径まで広げることができる。
【００９０】
またこのように、開口部４１を小さくすることで、羽根車１００が回転中にシャフト２３から外れてしまうような状況をより確実に防ぐことができる。
【００９１】
さらに、つまみ部１０１が、羽根車ボス１００ｂの側面の周方向（すなわち上下方向）につまめる形状であることにより、つまみ部１０１をつまむときに、羽根車ボス１００ｂのスラスト方向（すなわち左右方向）にスペースを必要としないので、側面ガイド２０の開口部３０の大きさを、第１の実施の形態と同じ大きさとしながら、つまみ部１０１をつまんで羽根車１００を着脱できる。
【００９２】
尚、上述したように、側面ガイド２０の開口部３０の構成については、第１の実施の形態と同様であるので、この開口部３０の構成によって得られる効果は、この第３の実施の形態でも得ることができる。
【００９３】
［３．第３の実施の形態］
次に、第３の実施の形態について説明する。この第３の実施の形態は、羽根車の形状が第１の実施の形態とは異なる実施の形態である。
【００９４】
尚、羽根車以外の部分である、現金自動取引装置１０の構成などについては、第１の実施の形態と同様であるので、第１の実施の形態を参照とする。ゆえに、ここでは、主に羽根車について説明する。
【００９５】
［３−１．羽根車の構成］
まず図１０に、第３の実施の形態の羽根車２００を示す。
【００９６】
この羽根車２００は、舌片２００ａと、羽根車ボス２００ｂとで構成されている。羽根車ボス２００ｂは、シャフト２３の径とほぼ同径のシャフト孔２１０が設けられた略円筒状の形状でなり、外側面には、４つの舌片２００ａを取り付ける場所となる４つの凹部２１１が形成され、さらに各凹部２１１の底に、中心に向かう孔２１２が形成されている。
【００９７】
この羽根車ボス２００ｂは、シャフト孔２１０にシャフト２３が挿入され、図示しないスプリングピンや接着剤などによりシャフト２３に固定されるようになっている。
【００９８】
これに対して、４つの舌片２００ａのそれぞれは、図１１に示すように、一端部が折り曲げられた断面略Ｌ字形状の１枚の羽根でなり、その一端部に、舌片２００ａを羽根車ボス２００ｂに取り付けるための取付孔２２０が形成されている。
【００９９】
この舌片２００ａは、一端部を羽根車ボス２００ｂの凹部２１１に当接させ、この一端部に形成されている取付孔２２０と、凹部２１１の底に形成されている孔２１２との位置を合わせて、円筒状の樹脂材料で成形されたピン２３０をこれら２つの孔２２０、２１２に圧入することで、羽根車ボス２００ｂに着脱自在に取り付けることができるようになっている。
【０１００】
尚、ここでは、ピン２３０を２つの孔２２０、２１２に圧入することで、羽根車ボス２００ｂに舌片２００ａを取り付けるようにしたが、これら２つの孔２２０、２１２をネジ止めすることで、羽根車ボス２００ｂに舌片２００ａを取り付けるようにしてもよく、またピン２３０やネジ以外の留め具を用いて取り付けるようにしてもよい。
【０１０１】
このように、この第３の実施の形態では、羽根車ボス２００ｂを着脱することで舌片２００ａを交換するのではなく、羽根車ボス２００ｂに対して舌片２００ａを着脱することで、舌片２００ａを交換できるようになっている。
【０１０２】
［３−２．第３の実施の形態における動作及び効果］
以上の構成において、舌片２００ａをシャフト２３に固定されている羽根車ボス２００ｂに取り付ける場合、舌片２００ａを、側面ガイド２０の開口部３０から挿入し、図１２（Ａ）に示すように、舌片２００ａの一端部を、羽根車ボス２００の凹部２１１にスラスト直交方向から当接させる。
【０１０３】
さらにこの状態で、舌片２００ａの一端部に形成されている取付孔２２０と、羽根車ボス２００ｂの凹部２１１の底に形成されている孔２１２との位置を合わせ、さらに図１２（Ｂ）に示すように、ピン２３０をこれら２つの孔２２０、２１２にスラスト直交方向から圧入することで、舌片２００ａが羽根車ボス２００ｂに固定される。
【０１０４】
このようにして、舌片２００ａをシャフト２３に固定されている羽根車ボス２００ｂに取り付けることができるようになっている。
【０１０５】
一方、舌片２００ａを羽根車ボス２００ｂから取り外す場合には、羽根車ボス２００ｂに舌片２００ａを固定しているピン２３０をスラスト直交方向に引き抜いて、側面ガイド２０の開口部３０から、舌片２００ａのみを引き出す。
【０１０６】
このようにして、舌片２００ａを羽根車ボス２００ｂから取り外すことができるようになっている。
【０１０７】
そして、例えば、新しい舌片２００ａを、上述のようにして羽根車ボス２００ｂに取り付けることで、舌片２００ａを交換する。
【０１０８】
ここまで説明したように、羽根車ボス２００ｂの外側面に、底に孔２１２を有する凹部２１１を形成し、また舌片２００ａを一端部が折り曲げられた断面Ｌ字形状の１枚の羽根とし、その一端部に取付孔２２０を形成するようにした。
【０１０９】
そして、舌片２００ａの一端部を羽根車ボス２００ｂの凹部２１１に当接させ、この一端部に形成されている取付孔２２０と、凹部２１１の底に形成されている孔２１２との位置を合わせて、ピン２３０をこれら２つの孔２２０、２１２に圧入することで、舌片２００ａを羽根車ボス２００ｂに着脱自在に取り付けることができるようにした。
【０１１０】
こうすることで、羽根車ボス２００ｂをシャフト２３に固定したままの状態で、羽根車ボス２００ｂに対して舌片２００ａをスラスト直交方向に着脱できる。
【０１１１】
また羽根車ボス２００ｂの外側面から舌片２００ａをスラスト直交方向に着脱できるようにしたことで、羽根車ボス２００ｂの厚さを、舌片２００ａの幅と同じにすることができる。
【０１１２】
この場合、羽根車２００をスラスト直交方向から見ると、その輪郭は、図１３に示すように、凸部のない上下方向に延びる四角形状となる。
【０１１３】
よって、この形状に合わせて、側面ガイド２０の開口部３０の形状も、図１３及び図１４に示すように、凸部のない四角形状とすることができる。
【０１１４】
またその幅ａは、舌片２００ａの回転を妨げず、且つ舌片２００ａを取り外したり取り付けたりできるよう、舌片２００ａの幅とほぼ等しくすることができ、第１の実施の形態と比較して、開口部３０全体の大きさを小さくすることもできる。
【０１１５】
この結果、第１の実施の形態と比較して、開口部３０に存在する角の数を減らすことができると共に、開口部３０の大きさを小さくすることができるので、紙幣が引っ掛かったり、入り込んだりしてしまうことを一段と確実に防ぐことができる。
【０１１６】
またこのような開口部３０を、舌片２００ａを羽根車ボス２００ｂに対してスラスト直交方向に着脱するときの取出口及び挿入口とすることで、わざわざ側面ガイド２０を取り外したりすることなく、舌片２００ａをスラスト直交方向に着脱するだけの作業で容易に交換できる。
【０１１７】
［４．第４の実施の形態］
次に、第４の実施の形態について説明する。この第４の実施の形態は、羽根車の形状が第３の実施の形態とは異なる実施の形態である。
【０１１８】
尚、羽根車以外の部分については、第３の実施の形態と同様であるので、第３の実施の形態を参照とする。ゆえに、ここでは、主に羽根車について説明する。
【０１１９】
［４−１．羽根車の構成］
図１５に、第４の実施の形態の羽根車３００を示す。この羽根車３００は、第３の実施の形態と同様の舌片２００ａと、第３の実施の形態とは異なる羽根車ボス３００ｂとで構成されている。
【０１２０】
羽根車ボス３００ｂは、シャフト２３の径とほぼ同径のシャフト孔３１０が形成された略円筒状の形状でなり、外側面には、４つの舌片２００ａを取り付ける場所となる４つの穴３１１が形成されている。
【０１２１】
さらに各穴３１１の近傍には、先端に穴３１１と同径の爪を有する爪部３１２が設けられ、この爪部３１２は、通常時（外力が加えられていない状態のとき）、先端の爪が孔３１１に嵌め込まれた状態で閉じるようになっている。
【０１２２】
尚、爪部３１２の爪は、舌片２００ａの一端部に形成されている取付孔２２０とも同径となっている。また爪部３１２には、先端の爪が穴３１１から離れるまで開くことができ、且つその状態から自然と元に戻る程度の弾性を持たせてある。
【０１２３】
この羽根車ボス３００ｂは、シャフト孔３１０にシャフト２３が挿入され、図示しないスプリングピンや接着剤などによりシャフト２３に固定されるようになっている。
【０１２４】
これに対して、４つの舌片２００ａのそれぞれは、羽根車ボス３００ｂの爪部３１２を開き、一端部を、羽根車ボス３００ｂの爪部３１２と穴３１１との間に挿入して爪部３１２を閉じることで、爪部３１２の先端の爪が、舌片２００ａの取付孔２２０と、羽根車ボス３００ｂの穴３１１とに嵌め込まれて、羽根車ボス３００ｂに着脱自在に取り付けることができるようになっている。
【０１２５】
［４−２．第４の実施の形態における動作及び効果］
以上の構成において、舌片２００ａをシャフト２３に固定されている羽根車ボス３００ｂに取り付ける場合、図１６（Ａ）に示すように、羽根車ボス３００ｂの爪部３１２を開き、側面ガイド２０の開口部３０から挿入した舌片２００ａの一端部を、羽根車ボス３００ｂの爪部３１２と穴３１１との間に挿入する。
【０１２６】
さらにこの状態で、図１６（Ｂ）に示すように、舌片２００ａの一端部に形成されている取付孔２２０と、羽根車ボス３００ｂの穴３１１との位置を合わせて爪部３１２を閉じると、爪部３１２の先端の爪が、舌片２００ａの取付孔２２０を通り、羽根車ボス３００ｂの穴３１１に嵌め込まれることで、舌片２００ａが羽根車ボス３００ｂに固定される。
【０１２７】
このようにして、舌片２００ａをシャフト２３に固定されている羽根車ボス３００ｂに取り付けることができるようになっている。
【０１２８】
一方、舌片２００ａを羽根車ボス３００ｂから取り外す場合には、羽根車ボス３００ｂに舌片２００ａを固定している爪部３１２を開いて、側面ガイド２０の開口部３０から、舌片２００ａのみを引き出す。
【０１２９】
このようにして、舌片２００ａを羽根車ボス３００ｂから取り外すことができるようになっている。
【０１３０】
そして、例えば、新しい舌片２００ａを、上述のようにして羽根車ボス３００ｂに取り付けることで、舌片２００ａを交換する。
【０１３１】
ここまで説明したように、羽根車ボス３００ｂの外側面に、穴３１１と、この穴３１１に嵌合される爪部３１２を設け、また舌片２００ａを一端部が折り曲げられた断面Ｌ字形状とし、その一端部に取付孔２２０を形成するようにした。
【０１３２】
そして、舌片２００ａの一端部に形成されている取付孔２２０と、羽根車ボス３００ｂに形成されている穴３１１との位置を合わせて、爪部３１２を閉じることで、舌片２００ａを羽根車ボス３００ｂに着脱自在に取り付けることができるようにした。
【０１３３】
こうすることで、羽根車ボス３００ｂをシャフト２３に固定したままの状態で、羽根車ボス３００ｂに対して舌片２００ａをスラスト直交方向に着脱できる。
【０１３４】
また、この羽根車ボス３００ｂの場合、舌片２００ａを固定するのに、ピンやネジなどの部品を必要としないので、第３の実施の形態と比較して、部品点数を少なくすることができ、製造コストを下げることもできる。
【０１３５】
さらに羽根車ボス３００ｂの外側面から舌片２００ａをスラスト直交方向に着脱できるようにしたことで、羽根車ボス３００ｂの厚さを、舌片２００ａの幅と同じにすることができる。
【０１３６】
この場合、羽根車３００をスラスト直交方向から見ると、その輪郭は、図１７に示すように、凸部のない上下方向に延びる四角形状となる。
【０１３７】
よって、この形状に合わせて、側面ガイド２０の開口部３０の形状も、図１７及び図１８に示すように、凸部のない四角形状とすることができる。
【０１３８】
またその幅ａは、舌片２００ａの回転を妨げず、且つ舌片２００ａを取り外したり取り付けたりできるよう、舌片２００ａの幅とほぼ等しくすることができ、第１の実施の形態と比較して、開口部３０全体の大きさを小さくすることもできる。
【０１３９】
この結果、第１の実施の形態と比較して、開口部３０に存在する角の数を減らすことができると共に、開口部３０の大きさを小さくすることができるので、紙幣が引っ掛かったり、入り込んだりしてしまうことを一段と確実に防ぐことができる。
【０１４０】
またこのような開口部３０を、舌片２００ａを羽根車ボス３００ｂに対してスラスト直交方向に着脱するときの取出口及び挿入口とすることで、わざわざ側面ガイド２０を取り外したりすることなく、舌片２００ａをスラスト直交方向に着脱するだけの作業で容易に交換できる。
【０１４１】
［５．第５の実施の形態］
次に、第５の実施の形態について説明する。この第５の実施の形態は、羽根車の形状が第１の実施の形態とは異なる実施の形態である。
【０１４２】
尚、羽根車以外の部分については、第１の実施の形態と同様であるので、第１の実施の形態を参照とする。ゆえに、ここでは、主に羽根車について説明する。
【０１４３】
［５−１．羽根車の構成］
図１９に、第５の実施の形態の羽根車４００を示す。この羽根車４００は、２つの舌片４００ａと、羽根車ボス４００ｂとで構成されている。
【０１４４】
羽根車ボス４００ｂは、半円筒状でなる２つのボス半体４１０及び４１１を、それぞれの周方向の一端側に設けられた連結部４１２で連結した構成でなり、この連結部４１２をヒンジとして、２つのボス半体４１０及び４１１の他端側を開閉できるようになっている。
【０１４５】
尚、この羽根車ボス４００ｂは、図１９（Ａ）に示すように、２つのボス半体４１０及び４１１を閉じた状態（これを閉状態とも呼ぶ）のときに、全体として略円筒形状となり、このときボス半体４１０及び４１１の間に形成されるシャフト孔４１３が、シャフト２３の径とほぼ同径になるようになっている。
【０１４６】
また一方で、羽根車ボス４００ｂは、図１９（Ｂ）に示すように、開いた状態（これを開状態とも呼ぶ）のときに、連結部４１２の反対側が、開口部４１４になるようになっている。
【０１４７】
連結部４１２は、ボス半体４１０及び４１１より薄く、羽根車ボス４００ｂの外側に突する円弧形状となっている。これにより、２つのボス半体４１０及び４１１を連結すると共に、折損することなく開閉できるようになっている。
【０１４８】
さらにボス半体４１０の周方向の他端側には、先端に爪を有する爪部４１５が設けられ、一方のボス半体４１１の周方向の他端側には、爪部４１５の爪を嵌め込むための穴４１６が形成されている。
【０１４９】
羽根車ボス４００では、２つのボス半体４１０及び４１１が閉じたときに、ボス半体４１０に設けられている爪部４１５の爪が、ボス半体４１１に形成されている穴４１６に嵌め込まれることで、閉状態を維持するよう２つのボス半体４１０及び４１１がロックされる。
【０１５０】
つまり、爪部４１５及び穴４１６は、２つのボス半体４１０及び４１１が閉じたときに、閉じた状態を保持するロック機構として機能する。
【０１５１】
さらにシャフト孔４１３の半分を形成するボス半体４１０の内側面には、周方向の中央部に、シャフト２３に対するズレ防止用の突起４１７が設けられている。
【０１５２】
同様に、ボス半体４１１の内側面にも、周方向の中央部に、シャフト２３に対するズレ防止用の突起４１７が設けられている。
【０１５３】
尚、ボス半体４１０に設けられた突起４１７とボス半体４１１に設けられた突起４１７は、閉状態のときに対向する位置関係になっている。
【０１５４】
さらにボス半体４１０は、略Ｃ字形状でなる厚さ方向の一端面に溝部４１８が設けられ、一方のボス半体４１１にも、略Ｃ字形状でなる厚さ方向の一端面に溝部４１８が設けられている。
【０１５５】
溝部４１８は、略Ｃ字形状の溝と、この溝から放射状に延びる複数（例えば２個）の溝とでなり、その深さが舌片４００ａの幅と同じに形成されている。
【０１５６】
これに対して２つの舌片４００ａは、それぞれ略Ｃ字形状の基部と、この基部から放射状に延びる複数（例えば２枚）の羽根とで構成される。
【０１５７】
そして２つの舌片４００ａのそれぞれの基部と各羽根の根元部分が、ボス半体４１０の溝部４１８とボス半体４１１の溝部４１８に嵌め込まれることで、２つの舌片４００ａが、それぞれボス半体４１０及び４１１に固定されるようになっている。
【０１５８】
このような構成の羽根車４００を、スラスト直交方向から見ると、その輪郭は、図２０にも示すように、第１の実施の形態と同様、スラスト方向に突するＴ字形状となる。
【０１５９】
ゆえに側面ガイド２０の開口部３０の形状及び大きさも、図２０及び図２１に示すように、第１の実施の形態と同様である。
【０１６０】
［５−２．第５の実施の形態における動作及び効果］
以上の構成において、羽根車４００をシャフト２３に取り付ける場合、図２２（Ａ）に示すように、羽根車４００を開状態とし、側面ガイド２０の開口部３０から挿入し、シャフト２３に対してスラスト直交方向から押し込む。
【０１６１】
そして図２２（Ｂ）に示すように、ボス半体４１０とボス半体４１１の間にシャフト２３を挟み込んで、羽根車４００を閉状態とすることで、羽根車４００のシャフト孔４１３にシャフト２３が嵌合される。
【０１６２】
ここで、シャフト２３には、スラスト方向に直交する孔２３ａが設けられている。
【０１６３】
この孔２３ａは、羽根車ボス４００ｂのシャフト孔４１３内に設けられている２つの突起４１７のそれぞれとほぼ同径でなり、シャフト２３が羽根車ボス４００ｂのシャフト孔４１３に嵌合されたときに、突起４１７が嵌め込まれるようになっている。
【０１６４】
これにより、羽根車４００は、シャフト２３に対してスラスト方向及び回転方向にズレないよう固定される。
【０１６５】
このようにして、羽根車４００をシャフト２３に取り付けることができるようになっている。
【０１６６】
一方、羽根車４００をシャフト２３から取り外す場合には、羽根車４００のロックを外して開状態とし、シャフト２３に対して羽根車４００をスラスト直交方向に引き出し、側面ガイド２０の開口部３０から取り出す。
【０１６７】
このようにして羽根車４００をシャフト２３から取り外すことができるようになっている。
【０１６８】
そして、例えば、磨耗した舌片４００ａを羽根車ボス４００ｂから取り外して、新しい舌片４００ａを取り付けた後、この新しい羽根車４００を、上述のようにしてシャフト２３に取り付けることで、羽根車４００の舌片４００ａを交換する。
【０１６９】
ここまで説明したように、羽根車ボス４００ｂを、２つのボス半体４１０及び４１１を開閉自在に連結した構成とし、これら２つのボス半体４１０及び４１１でシャフト２３をスラスト直交方向から挟み込むようにして、羽根車ボス４００ｂをシャフト２３に取り付けることができるようにした。
【０１７０】
こうすることで、羽根車４００をシャフト２３に対してスラスト直交方向に着脱できる。
【０１７１】
また、羽根車ボス４００ｂは、シャフト２３に取り付けられたとき（すなわち閉状態のとき）に、開口部４１４を閉じてロックすることになるので、羽根車４００が回転中にシャフト２３から外れてしまうような状況を確実に防ぐことができる。
【０１７２】
さらに、羽根車ボス４００ｂが、その側面の周方向（すなわち上下方向）に開閉可能であることにより、羽根車ボス１０１のスラスト方向（すなわち左右方向）にスペースを必要としないので、側面ガイド２０の開口部３０の大きさを、第１の実施の形態と同じ大きさとしながら、羽根車ボス４００ｂを開閉させて羽根車４００を着脱できる。
【０１７３】
尚、上述したように、側面ガイド２０の開口部３０の構成については、第１の実施の形態と同様であるので、この開口部３０の構成によって得られる効果は、この第５の実施の形態でも得ることができる。
【０１７４】
［６．他の実施の形態］
［６−１．他の実施の形態１］
尚、上述した第１の実施の形態では、４枚の羽根を有する舌片２１ａを羽根車ボス２０ｂの溝部４３に嵌め込むようにした。
【０１７５】
これに限らず、例えば図２３に示すように、第５の実施の形態と同様にして、４枚の羽根を有する舌片２１ａの変わりに、それぞれ２枚の羽根を有する２つの舌片５００を、羽根車ボス２０ｂに設けられた２つの溝部５１０にそれぞれ嵌め込むようにしてもよい。
【０１７６】
またこれに限らず、舌片１個に対する羽根の枚数や舌片の数を、さらに多くしたり少なくしたりしてもよい。
【０１７７】
尚、この点は、第１の実施の形態に限らず、第２乃至第５の実施の形態についても同様である。
【０１７８】
［６−２．他の実施の形態２］
また、上述した第２の実施の形態では、羽根車ボス１００ｂのシャフト孔４０内の開口部４１と対向する位置に突起４２を設けるようにした。
【０１７９】
これに限らず、例えば図２４に示すように、第５の実施の形態と同様にして、開口部４１とこの開口部４１と対向する位置との間に、互いに対向するようにして２つの突起５２０を、突起４２の代わりに設けるようにしてもよい。
【０１８０】
またこれに限らず、シャフト孔内に設ける突起の数をさらに多くしてもよく、また突起の位置を、シャフト孔内の他の位置にしてもよい。
【０１８１】
［６−３．他の実施の形態３］
さらに、上述した第３の実施の形態では、一端部が折り曲げられた断面略Ｌ字形状の１枚の羽根でなる舌片２００ａを、羽根車ボス２００ｂに取り付けるようにした。
【０１８２】
これに限らず、図２５に示すように、中央部を折り曲げた断面略Ｕ字形状の２枚の羽根でなる舌片５３０を、羽根車ボス２００ｂに取り付けるようにしてもよい。
【０１８３】
この場合、舌片５３０の中央部（すなわちＵ字の底となる部分）に、舌片５３０を羽根車ボス２００ｂに取り付けるための取付孔５３１を形成するようにする。
【０１８４】
そして図２６に示すように、この舌片５３０の中央部を、羽根車ボス２００ｂの凹部２１１に当接させ、この中央部に形成されている取付孔５３１と、凹部２１１の底に形成されている孔２１２との位置を合わせて、ピン２３０をこれら２つの孔５３１、２１２に圧入することで、舌片５３０を羽根車ボス２００ｂに着脱自在に取り付けることができる。
【０１８５】
このようにすれば、第３の実施の形態と比較して、舌片の数（例えば４個）は同じで、羽根の数を２倍（４枚から８枚）に増やすことができる。
【０１８６】
［６−４．他の実施の形態４］
さらに、上述した第３の実施の形態では、円筒状のピン２３０で、舌片２００ａを羽根車ボス２００ｂに固定するようにした。
【０１８７】
これに限らず、図２７に示すように、略円筒状のピン５４０の外側面の先端に、外側に突する爪を有する爪部５４１を設けるようにして、このピン５４０で、舌片２００ａを羽根車ボス２００ｂに固定するようにしてもよい。
【０１８８】
この場合、図２８に示すように、羽根車ボス２００ｂの外側面に、このピン５４０に対応する、中心に向かう孔５４２を形成するようにする。
【０１８９】
この孔５４２は、ピン５４０の径とほぼ同径でピン５４０よりも短い第１の孔と、この第１の孔よりも径の大きい第２の孔とを繋げた形状でなり、第１の孔が、第２の孔よりも外側に位置するように形成されている。
【０１９０】
この場合、舌片２００ａの一端部に形成されている取付孔２２０を、羽根車ボス２００ｂの外側面に形成されている孔５４２の上に位置合わせして、ピン５４０をこれら２つの孔２２０、５４１に押し込む。
【０１９１】
そして、ピン５４０の先端の孔５４２の第２の孔まで到達すると、先端の爪が、第１の孔と第２の孔との境界部分に存在する角に引っ掛かることで、ピン５４０が孔５４１に係止され、舌片２００ａが羽根車ボス２００ｂに固定される。
【０１９２】
またこれに限らず、同様の機能を実現できるものであれば、他の係止部材を用いて、舌片を羽根車に着脱自在に固定するようにしてもよい。
【０１９３】
［６−５．他の実施の形態５］
さらに、上述した第１の実施の形態では、側面ガイド２０の開口部３０を、上下方向に長い四角形状の開口３０ａと、この開口３０ａの中央部分からスラスト方向（左右方向）に突する四角形状の開口３０ｂとからなる、スラスト方向に突する略Ｔ字形状とした。
【０１９４】
これに限らず、図２９（Ａ）に示すように、側面ガイド２０の開口部３０を、開口３０ａと、この開口３０ａからスラスト方向に延びる台形状の開口３０ｃとからなる、略Ｄ字形状としてもよい。
【０１９５】
この場合、開口３０ａの幅と開口３０ｃの幅を足した幅ａを、羽根車ボス２１ｂの幅よりもわずかに大きくし、開口３０ｃの上下方向に最も短い部分の長さｂを、羽根車ボス２１ｂの径よりもわずかに大きくし、開口３０ａの幅ｃを、舌片２１ａの幅よりもわずかに大きく形成するようにする。
【０１９６】
このようにした場合、開口部３０の大きさは、第１の実施の形態と比してわずかに大きくなるものの、開口部３０の切り口に存在する角の数を減らすことができ、結果として、開口部３０に、紙幣が引っ掛かったり、入り込んでしまうことを一段と確実に防ぐことができる。
【０１９７】
またこれに限らず、図２９（Ｂ）に示すように、側面ガイド２０の開口部３０を、第１の実施の形態の開口３０ａの幅と開口３０ｂの幅を足した幅でなる、上下方向に長い四角形状としてもよい。
【０１９８】
この場合、開口部３０の幅ａを、羽根車ボス２１ｂの幅よりもわずかに大きく形成するようにする。
【０１９９】
このようにした場合も、開口部３０の大きさが、第１の実施の形態と比してわずかに大きくなるものの、開口部３０の切り口に存在する角の数をさらに減らすことができ、結果として、開口部３０に、紙幣が引っ掛かったり、入り込んでしまうことをより確実に防ぐことができる。
【０２００】
またこの場合、開口部３０の形状が簡易であるため、開口部３０を形成し易いといった効果も得られる。
【０２０１】
さらにくわえて、このような開口部３０の角を丸く加工するようにしてもよい。このようにすれば、開口部３０に、紙幣が引っ掛かったり、入り込んでしまうことをより一層確実に防ぐことができる。
【０２０２】
尚、この点は、第１の実施の形態に限らず、第２及び第５の実施の形態についても同様である。
【０２０３】
［６−６．他の実施の形態６］
さらに、上述した第５の実施の形態では、羽根車ボス４００を、２つのボス半体４１０及び４１１に分割すると共に、２つのボス半体４１０及び４１１を開閉自在に連結する１つの連結部４１２と、閉状態のときに２つのボス半体４１０及び４１１をロックする１つのロック機構（すなわち爪部４１５及び穴４１６）を設けるようにした。
【０２０４】
これに限らず、羽根車ボス４００を３つ以上に分割するようにしてもよく、またその分割数に合わせて、連結部４１２を複数設けたり、ロック機構を複数設けたりしてもよい。
【０２０５】
また例えば、羽根車ボス４００を分割しないで連結部４１２を設けず、ロック機構のみを設けるようにしてもよい。
【０２０６】
実際、例えば、第１の実施の形態の羽根車ボス２１ｂの開口部４１側に、羽根車ボス２１ｂがシャフト２３に嵌合されたときに、開口部４１が広がらないようロックするロック機構を設けるようにしてもよい。
【０２０７】
さらに第５の実施の形態では、爪部４１５と穴４１６からなるロック機構を用いるようにしたが、これに限らず、同様の機能を実現できるものであれば、他のロック機構を用いるようにしてもよい。
【０２０８】
［６−７．他の実施の形態７］
さらに、上述した第１の実施の形態では、舌片２１ａがゴムなどの弾性材料で成形され、１つの基部と４枚の羽根から構成されるようにしたが、これに限らず、例えば、その材料については、同様の機能を実現できるものであれば、他の異なる材料で整形されていてもよく、また羽根の枚数についても、３枚以下でも５枚以上であってもよい。さらに舌片２１ａを、第１の実施の形態とは異なる形状や大きさとしてもよい。
【０２０９】
この点は、第１の実施の形態に限らず、第２乃至第５の実施の形態についても同様である。
【０２１０】
さらにこれに限らず、例えば、舌片２１ａと羽根車ボス２１ｂとを一体成型するようにしてもよい。
【０２１１】
この点も、第１の実施の形態に限らず、第２及び第５の実施の形態についても同様である。
【０２１２】
［６−８．他の実施の形態８］
さらに、上述した第１の実施の形態では、羽根車ボス２１ｂの溝部４３に、舌片２１ａの基部と各羽根の根元部分を嵌め込むことで、舌片２１ａを羽根車ボス２１ｂに固定するようにした。
【０２１３】
これにくわえて、例えば、羽根車ボス２１ｂの溝部４３に凸部を設けると共に、舌片２１ａの基部の対応する位置に凹部を設け、溝部４３に舌片２１ａを嵌め込んだときに、溝部４３の凸部が舌片２１ａの凹部に嵌め込まれるようにしてもよい。
【０２１４】
このようにすれば、一段と確実に、舌片２１ａを羽根車ボス２１ｂに固定することができる。尚、溝部４３に凹部を設け、舌片２１ａに凸部を設けるようにしてもよい。
【０２１５】
［６−９．他の実施の形態９］
さらに、上述した第１乃至第５の実施の形態では、紙幣を収納する収納庫１４に本発明を適用するようにしたが、これに限らず、羽根車を利用して媒体を集積する他の集積庫（例えばリジェクト庫１７や取忘れ保管庫１０８など）に適用するようにしてもよい。
【０２１６】
［６−１０．他の実施の形態１０］
さらに、上述した第１乃至第５の実施の形態では、種々の構成でなる羽根車について説明したが、上述した第１乃至第５の実施の形態の羽根車は一例であり、同様の機能を実現できる構成であれば、他の構成を用いるようにしてもよい。
【０２１７】
［６−１１．他の実施の形態１１］
さらに、上述した第１乃至第５の実施の形態では、本発明を、媒体処理装置としての現金自動取引装置１０に適用したが、本発明は、これに限らず、羽根車を利用して媒体を集積する媒体集積庫を有する装置であれば、紙幣以外の媒体を扱うコピー機やプリンタ、自動販売機、券売機など、種々の装置に適用することもできる。
【０２１８】
［６−１２．他の実施の形態１２］
さらに、本発明は、上述した第１乃至第５の実施の形態と、上述した他の実施の形態とに限定されるものではない。すなわち本発明は、上述した第１乃至第５の実施の形態と上述した他の実施の形態の一部または全部を任意に組み合わせた実施の形態や、一部を抽出した実施の形態にもその適用範囲が及ぶものである。
【０２１９】
例えば、第１の実施の形態と、第３の実施の形態又は第４の実施の形態とを組み合わせることで、第１の実施の形態の舌片２１ａと羽根車ボス２１ｂとの取付構造を、第３の実施の形態の取付構造又は第４の実施の形態の取付構造に代えるようにしてもよい。
【０２２０】
また、例えば、第５の実施の形態と、第３の実施の形態又は第４の実施の形態とを組み合わせることで、第５の実施の形態の舌片４００ａと羽根車ボス４００ｂとの取付構造を、第３の実施の形態の取付構造又は第４の実施の形態の取付構造に代えるようにしてもよい。
【産業上の利用可能性】
【０２２１】
本発明は、羽根車を利用して媒体を集積する媒体集積庫を有する現金自動取引装置や、コピー機、プリンタ、自動販売機、券売機などの装置で広く利用することができる。
【符号の説明】
【０２２２】
１０……現金自動取引装置、１４……収納庫、２０……側面ガイド、２１、１００、２００、３００、４００…羽根車、２１ａ、２００ａ、４００ａ、５００、５３０……舌片、２１ｂ、１００ｂ、２００ｂ、３００ｂ、４００ｂ……羽根車ボス、２２……集積エリア、２３……シャフト、３０、４１、４１４……開口部、４０、２１０、３１０、４１３……シャフト孔、４２、４１７、５２０……突起、１０２……つまみ部、２３０、５４０……ピン、３１２、４１３、４１５、５４１……爪部、４１０、４１１……ボス半体、４１２……連結部。
【図１】
0005267631.tif 000002
【図２】
0005267631.tif 000003
【図３】
0005267631.tif 000004
【図４】
0005267631.tif 000005
【図５】
0005267631.tif 000006
【図６】
0005267631.tif 000007
【図７】
0005267631.tif 000008
【図８】
0005267631.tif 000009
【図９】
0005267631.tif 000010
【図１０】
0005267631.tif 000011
【図１１】
0005267631.tif 000012
【図１２】
0005267631.tif 000013
【図１３】
0005267631.tif 000014
【図１４】
0005267631.tif 000015
【図１５】
0005267631.tif 000016
【図１６】
0005267631.tif 000017
【図１７】
0005267631.tif 000018
【図１８】
0005267631.tif 000019
【図１９】
0005267631.tif 000020
【図２０】
0005267631.tif 000021
【図２１】
0005267631.tif 000022
【図２２】
0005267631.tif 000023
【図２３】
0005267631.tif 000024
【図２４】
0005267631.tif 000025
【図２５】
0005267631.tif 000026
【図２６】
0005267631.tif 000027
【図２７】
0005267631.tif 000028
【図２８】
0005267631.tif 000029
【図２９】
0005267631.tif 000030